(57)【要約】【課題】本発明は、シンプルな構造でありながら、吊り下げ部位へ物品を容易に導入することができ、且つ物品が一度吊り下げられた後、容易に吊り下げ部位外へ放出されない吊り下げ具の提供を目的とする。【解決手段】本発明に係る吊り下げ具１は、周状枠部１０と、二本の引掛部２０ａ、２０ｂとを備える。周状枠部１０は、開口部１１を備え、引掛部２０ａ、２０ｂの各々は、周状枠部１０から延設される引掛基部２１ａ、２１ｂと、引掛基部２１ａ、２１ｂに接続されると共に、引掛対象物に引っ掛るよう作用する引掛作用部２２ａ、２２ｂとを備える。被吊下物品を周状枠部１０内に導入するための導通路Ｃが、対向する二本の引掛部２０ａ、２０ｂ間に形成される。【選択図】図１
2019072088.tif 000002
【特許請求の範囲】
【請求項１】
被吊下物品の吊下領域を備える周状枠部と、
引掛対象物に引っ掛けられる二本の引掛部と、
を備え、
周状枠部は、所定位置に開口部を備え、
引掛部の各々は、
周状枠部から延設される引掛基部と、
引掛基部に接続されると共に、引掛対象物に引っ掛るよう作用する引掛作用部と、
を備え、
一方の引掛部に係る引掛基部は、周状枠部の開口部における開口端の一方側に設けられ、
他方の引掛部に係る引掛基部は、周状枠部の開口部における開口端の他方側に設けられ、
双方の引掛基部は、互いに対向するよう周状枠部から延設され、
被吊下物品を周状枠部内に導入するための導通路が、対向する二本の引掛基部間に形成される、
吊り下げ具。
【請求項２】
周状枠部は、外力の印加によって変形可能であり、
周状枠部に外力が印加されない状態において、周状枠部の双方の開口端は、接触した状態にある一方、
周状枠部に外力が印加された状態において、前記双方の開口端が引き離され、開口部が形成される、
請求項１に記載の吊り下げ具。
【請求項３】
一方の引掛部は、周状枠部の一方の開口端から延設され、
他方の引掛部は、周状枠部の他方の開口端から延設される、
請求項１又は２に記載の吊り下げ具。
【発明の詳細な説明】
【技術分野】
【０００１】
本発明は、吊り下げ具に関する。
【背景技術】
【０００２】
扉の取っ手部分や、ハンガーラック等の各種ポール状部材などに引掛けられ、その状態で例えば調理用具や装飾品等の物品（以下、単に「被吊下物品」という。）を吊り下げるための吊り下げ具が、従来から用いられている。吊り下げ具の一例として、安価簡便に使用可能でシンプルな構造を有する、所謂Ｓ字フックが挙げられる。また、Ｓ字フック以外の吊り下げ具として、下記特許文献に記載の技術が開示されている。
【先行技術文献】
【特許文献】
【０００３】
【特許文献１】特開２０１５−１４２６８４号公報
【特許文献２】特開２０１２−７５８４７号公報
【特許文献３】特開２０１２−１６４０５号公報
【発明の概要】
【発明が解決しようとする課題】
【０００４】
しかしながら、一般のＳ字フック具において、例えば、吊り下げ部位の先端（例えば、Ｓ字の湾曲先端部分）と本体（例えば、Ｓ字の中央部分）との間が、大きく開口している。そのため、例えば、吊り下げ具と人との接触に基づく衝撃等より、被吊下物品が吊り下げ部位から容易に放出されてしまう。
【０００５】
また、前述の特許文献に記載の吊り下げ具は、被吊下物品の吊り下げ部位（部材）として、上記のようなＳ字状フック（特許文献１及び２）や、先端に向かうに従い本体（把持体）から離れるよう本体壁面に斜設されたフック部（特許文献３）を有する構造である。このフック部と本体（壁面）との間も、大きく開口している。そのため、特許文献に記載の吊り下げ具に吊り下げられた被吊下物品も、何らかの衝撃等より、容易に吊り下げ部位から放出されてしまう。
【０００６】
上記課題に鑑み、本発明は、シンプルな構造でありながら、吊り下げ部位へ物品を容易に導入可能であり、且つ一度吊り下げられた被吊下物品を吊り下げ部位外へ放出しにくい構造の吊り下げ具を提供することを目的とする。
【課題を解決するための手段】
【０００７】
前記課題を解決するための本発明に係る吊り下げ具は、
被吊下物品の吊下領域を備える周状枠部と、
引掛対象物に引っ掛けられる二本の引掛部と、
を備え、
周状枠部は、所定位置に開口部を備え、
引掛部の各々は、
周状枠部から延設される引掛基部と、
引掛基部に接続されると共に、引掛対象物に引っ掛るよう作用する引掛作用部と、
を備え、
一方の引掛部に係る引掛基部は、周状枠部の開口部における開口端の一方側に設けられ、
他方の引掛部に係る引掛基部は、周状枠部の開口部における開口端の他方側に設けられ、
双方の引掛基部は、互いに対向するよう周状枠部から延設され、
被吊下物品を周状枠部内に導入するための導通路が、対向する二本の引掛基部間に形成されることを特徴とする。
【０００８】
また、本発明に係る吊り下げ具において、
周状枠部は、外力の印加によって変形可能であり、
周状枠部に外力が印加されない状態において、周状枠部の双方の開口端は、接触した状態にある一方、
周状枠部に外力が印加された状態において、前記双方の開口端が引き離され、開口部が形成されることが好ましい。
【０００９】
更に、本発明に係る吊り下げ具において、
一方の引掛部は、周状枠部の一方の開口端から延設され、
他方の引掛部は、周状枠部の他方の開口端から延設されることが好ましい。
【発明の効果】
【００１０】
本発明は、被吊下物品の吊下領域を備える周状枠部（前述の吊り下げ部位に相当）が、所定位置に開口部を備えると共に、開口部の双方から互いに対向するよう延設される二本の引掛部間に、被吊下物品を周状枠部内に導入する導通路が形成されるため、被吊下物品を周状枠部内に容易に導入可能である。それに加えて、本発明に係る吊り下げ具は、前述の構成を備えることから、被吊下物品が一度、周状枠部内に導入された後、容易に周状枠部外に放出させない。また、本発明に係る吊り下げ具は、周状枠部と二本の引掛部とを含む極めてシンプルな構造によって、当該技術的効果を発揮することができる。
【図面の簡単な説明】
【００１１】
【図１】本発明に係る一実施形態の全体構成を示す図。
【図２】本実施形態の吊り下げ具における引掛部先端の形状バリエーションを示す図。
【図３】本発明に係る一実施形態において、被吊下物品を導入する際の動作例を示す図。
【図４】本発明に係る一実施形態の使用例を示す図。
【図５】本発明に係る一実施形態の他の使用例を示す図。
【図６】本発明に係る一実施形態の変形例を示す図。
【発明を実施するための形態】
【００１２】
以下、図面を参照して本発明の望ましい実施形態を詳細に説明する。但し、本発明は多くの異なる態様で実施することが可能であり、以下に示す実施の形態の記載内容に限定して解釈されるものではない。
【００１３】
まず、図１及び図２を参照して、本発明の一実施形態に係る吊り下げ具１の構成を説明する。ここで、図１（ａ）は、吊り下げ具１の正面図、図１（ｂ）は、吊り下げ具１の背面図、図１（ｃ）は、吊り下げ具１の左側面図、図１（ｄ）は、吊り下げ具１の右側面図、図１（ｅ）は、吊り下げ具１の平面図、図１（ｆ）は、吊り下げ具１の底面図、図１（ｇ）は、吊り下げ具１の斜視図である。図１に示されるように、吊り下げ具１は、周状枠部１０と引掛部２０とを備える。図２は、引掛部２０の先端形状における複数のバリエーションを示す図である。
【００１４】
図１に示されるように、吊り下げ具１の周状枠部１０は、その内部に、被吊下物品Ｈを吊り下げるための吊下領域Ｓを備える。また、周状枠部１０は、その所定位置に開口部１１を備える。被吊下物品Ｈは、開口部１１を通過した後、吊下領域Ｓ内に導入される。なお、図１に示される実施形態において、一つの開口部１１が、周状枠部１０に設けられているが、開口部１１の個数はこれに限られない。
【００１５】
周状枠部１０の形状は、周状であれば特に限定されるものではない。周状枠部１０の形状の例として、図１に示されるような矩形状のもののほか、真円状、楕円状、菱形状、又は三角形状、四角形状、五角形状、若しくはその他の多角形形状が挙げられる。また、周状枠部１０の他の形状の例として、ハート型形状、星型形状、蛇行状の軌跡を有する形状等が挙げられる（例えば、図６参照）。
【００１６】
周状枠部１０は、一の線状要素によって構成されてもよいし、複数の要素を任意の位置で繋ぎ合わせるよう構成されてもよい。周状枠部１０の素材として、金属、プラスチック、ゴム等が挙げられ、これらの中の一種を用いてもよいし、複数種を組み合せて用いてもよい。また、周状枠部１０は、人の指圧力などの外力が加わることで変形可能であることが好ましい。
【００１７】
周状枠部１０が外力の印加によって変形可能である場合、周状枠部１０の開口部１１における開口端１１ａ及び１１ｂが接触するよう、周状枠部１０が変形されることが好ましい。開口端１１ａ及び１１ｂが接触すると、開口部１１は、閉じた状態となる。これによって、周状枠部１０の吊下領域Ｓを完全に閉じることができ、吊下領域Ｓ内に導入された被吊下物品Ｈが吊り下げ具１の外側に放出されることを完全に防ぐことができる。
【００１８】
図１に示されるものとは異なり、周状枠部１０に外力が作用していない状態において、開口部１１の開口端１１ａ、１１ｂが接触していてもよい。ただし、この場合、開口部１１の開口端１１ａ、１１ｂに被吊下物品Ｈを接触させずに吊下領域Ｓに導入するため、周状枠部１０は、外力の印加によって、開口部１１が開くよう変形可能であることが好ましい。
【００１９】
次に、図１（ａ）等に示されるように、本実施形態における吊り下げ具１は、二本の引掛部２０（２０ａ、２０ｂ）を備える。二本の引掛部２０は、成形性や材料費の観点から、周状枠部１０と構造上一体であることが好ましい。更に、成形の容易性や製作コストの観点から、二本の引掛部２０と周状枠部１０とが、一本の線材によって形成されることがより好ましい。ただし、二本の引掛部２０と周状枠部１０との接続態様は、これに限定されるものではない。二本の引掛部２０と周状枠部１０が、それぞれ別部材で構成されていてもよい。この場合、二本の引掛部２０は、任意の接合手段によって、周状枠部１０の所定位置に接合される。
【００２０】
各々の引掛部２０（２０ａ、２０ｂ）は、引掛基部２１（２１ａ、２１ｂ）と、引掛作用部２２（２２ａ、２２ｂ）とを含む。図１に示されるように、各引掛作用部２２ａ、２２ｂは、引掛基部２１ａ、２１ｂのそれぞれに接続される。ここで、成形性や材料費の観点から、接続される引掛基部２１と引掛作用部２２との組（引掛基部２１ａと引掛作用部２２のセット、及び／又は引掛基部２１ｂと引掛作用部２２ｂのセット）は、構造上一体であることが好ましく、更に、一本の線材から形成されることが好ましい。なお、図１に示される実施形態において、引掛作用部２２は、引掛基部２１の先端から延設されているが、引掛作用部２２の延設箇所は、これに限られない。
【００２１】
本実施形態における引掛部２０ａの引掛基部２１ａは、周状枠部１０の開口部１１における一方の開口端１１ａから延設される。同じく、本実施形態における引掛部２０ｂの引掛基部２１ｂは、周状枠部１０の開口部１１における他方の開口端１１ｂから延設される。
【００２２】
双方の引掛基部２１ａ、２１ｂは、互いに対向するよう設けられる。図１に示される引掛基部２１ａと２１ｂとは、初期状態において所定の幅を有するよう離れて配置されている。しかし、引掛基部２１ａと２１ｂの配置は、これに限られない。例えば、前述のように、周状枠部１０の開口端１１ａ、１１ｂが初期状態において接触する形態の場合、そこから延設される引掛基部２１ａと２１ｂは、所定の幅を有さず、隣接された状態となる。
【００２３】
本実施形態における引掛基部２１ａ、２１ｂは、ともに直線形状を有し、互いに略平行となるよう、開口部１１の開口端１１ａ、１１ｂのそれぞれから延設される。
【００２４】
引掛基部２１ａ、２１ｂにおける周状枠部１０との延設位置は、一方の引掛基部２１ａが、開口端１１ａ側に設けられ、他方の引掛基部２１ｂが、開口端１１ｂ側に設けられるような位置（すなわち、引掛基部２１ａ及び２１ｂ間の隙間と、周状枠部１０の開口部１１とが、連通可能となるような、引掛基部２１ａ、２１ｂの延設位置。なお、引掛基部２１ａ及び２１ｂ間の隙間は、後述において「導通路Ｃ」と称される。）であれば、特に限定されるものではない。ただし、前述のような一本の線材から周状枠部１０と引掛部２０とが形成される場合を考慮すれば、引掛基部２１ａは、開口部１１の開口端１１ａから延設されることが好ましい。同様に、引掛基部２１ｂは、開口部１１の開口端１１ｂから延設されることが好ましい。
【００２５】
後述のように、互いに対向するよう配置される双方の二本の引掛部２０ａ、２０ｂによって、周状枠部１０内の吊下領域Ｓに被吊下物品Ｈを導入するための導通路Ｃが形成される。当該導通路Ｃは、少なくとも引掛基部２１分の長さを有する。そのため、一度、吊下領域Ｓ内に導入された被吊下物品Ｈは、その長さ分以上移動しなければ、吊り下げ具１の外側に放出されない。すなわち、吊り下げ具１は、二本の引掛部２０ａ、２０ｂによって形成される導通路Ｃを備えることで、被吊下物品Ｈが吊り下げ具１の外側に放出されることを防ぐことができる。
【００２６】
更に、被吊下物品Ｈが吊り下げ具１の放出可能性を低減させるため、前記導通路Ｃの幅をなるべく狭くすることが好ましい。具体的には、周状枠部１０における開口部１１の幅を狭くし、開口部１１の開口端１１ａ、１１ｂから引掛基部２１ａ、２１ｂをそれぞれ延設するような構造が考えられる。
【００２７】
なお、図１に示されるように、二本の引掛部２０ａ、２０ｂは、略平行な位置関係であるが、双方の位置関係は、これに限られない。上記以外の位置関係として、二本の引掛部２１ａ、２１ｂにおいて、先端（引掛作用部２１）に向かうに従い導通路Ｃの幅が広がる（すなわち、正面視においてＶ字形状となる）位置関係や、先端（引掛作用部２１）に向かうに従い導通路Ｃの幅が狭まる（すなわち、正面視においてハの字形状となる）位置関係等が挙げられる。ただし、被吊下物品Ｈに対する耐荷重性の観点から、二本の引掛部２０ａ、２０ｂの位置関係は、図１に示されるような略平行であることが好ましい。
【００２８】
被吊下物品Ｈを吊下領域Ｓ内に導入する際、導通路Ｃに被吊下物品Ｈを単に通過させればよい（詳細は、後述する。）。そのため、本実施形態に係る吊り下げ具１によれば、簡単な作業によって、被吊下物品Ｈを吊下領域Ｓ内に導入することができる。
【００２９】
次に、引掛部２０に備わる引掛作用部２２は、引掛対象物に吊り下げ具１を引っ掛けるために設けられる部分である。本実施形態における引掛作用部２２は、図１（ｃ）、図１（ｄ）に示されるように、略Ｕ字状に湾曲する形態を有する。ただし、引掛作用部２２の形態は、引掛対象物に引っ掛け可能な形態であれば、特に限定されない。
【００３０】
ここで、引掛作用部２２の先端２２１は、図２（ａ）に示されるように、丸みを帯びた形状であることが好ましい。また、図２（ｂ）、図（ｃ）に示されるように、ボール状部材２３やキャップ部材２４が、引掛作用部２２の先端２２１に取り付けられていてもよい。引掛作用部２２の先端２２１に関する図２（ａ）から図２（ｃ）のような態様によれば、吊り下げ具１の使用者と先端２２１との接触によって生ずる怪我を防ぐことができる。
【００３１】
次に、図３を参照して、被吊下物品Ｈを周状枠部１０の吊下領域Ｓに導入する際の吊り下げ具１の動作例を示す。ここで、図３（ａ）の吊り下げ具１は、初期状態において、引掛基部２１ａと２１ｂとの間に所定幅を有する。これとは異なり、図３（ｂ）の吊り下げ具１は、初期状態において、引掛基部２１ａと２１ｂとが隣接する形態を有する。
【００３２】
まず、図３（ａ）に示される形態において、被吊下物品Ｈは、引掛基部２１ａと２１ｂとの間の隙間（導通路Ｃ）を通過し（矢印Ｔ）、周状枠部１０の吊下領域Ｓに導入される。導入された被吊下物品Ｈを吊下領域Ｓの外側に取り出す場合、被吊下物品Ｈを矢印Ｔと逆方向に移動させればよい。
【００３３】
これに対して、図３（ｂ）に示される形態において、被吊下物品Ｈを吊下領域Ｓに導入する前に、引掛基部２１ａと２１ｂとに外力を印加して双方を引き離すよう変形させる（矢印Ｔ１）。変形後、引掛基部２１ａと２１ｂとの間に隙間（導通路Ｃ）が形成される。被吊下物品Ｈは、形成された隙間を通過し（矢印Ｔ２）、吊下領域Ｓに導入される。導入された被吊下物品Ｈを吊下領域Ｓの外側に取り出す場合、まず、引掛基部２１ａと２１ｂとに外力を印加して双方を引き離すよう変形させる（矢印Ｔ１）。これらが引き離された後、導通路Ｃが形成される。被吊下物品Ｈを取り出す際、導通路Ｃを通るよう矢印Ｔ２と逆方向に被吊下物品Ｈを移動させればよい。
【００３４】
図３（ａ）及び図３（ｂ）のいずれの形態においても、形成された導通路Ｃに被吊下物品Ｈを通過させるという極めてシンプルな動作で、被吊下物品Ｈの吊下領域Ｓへの導入や導出（吊下領域Ｓから外部への取り出し）を行なうことができる。
【００３５】
次に、図４を参照して、本実施形態に係る吊り下げ具１の使用例を説明する。図４に示されるように、吊り下げ具１は、キッチン用収納引出の取っ手Ｋ１に引っ掛けられている（すなわち、取っ手Ｋ１は、前述の引掛対象物に相当する。）。また、吊り下げ具１は、小型のごみ袋Ｂを吊り下げている（すなわち、ごみ袋Ｂは、前述の被吊下物品Ｈに相当する。）。ごみ袋Ｂは、その持ち手部分を介して、吊り下げ具１に吊り下げられている。
【００３６】
ただし、吊り下げ具１の引掛対象物は、キッチン用収納引出の取っ手Ｋ１に限られない。また、吊り下げ具１に吊り下げられる被吊下物品Ｈは、ごみ袋Ｂに限られない。吊り下げ具１の他の使用例を図５に示す。図５（ａ）の使用例において、吊り下げ具１は、室外に設置されるフェンスＦに引っ掛けられている（すなわち、フェンスＦは、引掛対象物に相当する。）。また、吊り下げ具１は、ランプ具Ｌを吊り下げている（すなわち、ランプ具Ｌは、前述の被吊下物品Ｈに相当する。）。ランプ具Ｌは、取っ手用金属線材を介して、吊り下げ具１に吊り下げられている。更に、図５（ｂ）の使用例において、吊り下げ具１は、ロープ部材Ｒに引っ掛けられている（すなわち、ロープ部材Ｒは、引掛対象物に相当する。）。また、吊り下げ具１は、ランプ具Ｌを吊り下げている。
【００３７】
本実施形態に係る吊り下げ具１は、平坦な周状枠部１０と、周状枠部１０と略同一平面内に位置するよう、周状枠部１０の開口端１１ａ、１１ｂから延設される引掛基部２１ａ、２１ｂを備える。そのため、吊り下げ具１は、フラットな形状を奏し、引掛対象物に引っ掛けられた際、引掛対象物より奥行き方向前方側に突出する部位を有さない。
【００３８】
従って、吊り下げ具１の手前側近傍を移動する者が、吊り下げ具１のいずれかの部位と接触するような事態は生じ得ない。また、上記のような突出部位を有さないため、吊り下げ具１は、特に奥行き方向に関してコンパクトな構造を有する。よって、吊り下げ具１は、非常に狭い領域であっても、引掛配置されることができる。すなわち、吊り下げ具１は、引っ掛け場所を制限されず、様々な場所で使用可能である。
【００３９】
上記において、本発明の一実施形態について説明した。ただし、上記説明は本発明の理解を容易にするためのものであり、本発明を限定する趣旨で記載されたものではない。本発明には、その趣旨を逸脱することなく、変更、改良され得るものを含み得る。また、本発明にはその等価物が含まれる。
【符号の説明】
【００４０】
１          吊り下げ具
１０        周状枠部
１１        周状枠部の開口部
２０        引掛部
２１        引掛基部
２２        引掛作用部
Ｈ          被吊下物品
Ｓ          周状枠部内の吊下領域
【図１】
2019072088.tif 000003
【図２】
2019072088.tif 000004
【図３】
2019072088.tif 000005
【図４】
2019072088.tif 000006
【図５】
2019072088.tif 000007
【図６】
2019072088.tif 000008
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
被吊下物品の吊下領域を備え平坦であって所定位置に開口部を備える周状枠部と、
引掛対象物に引っ掛けられる二本の引掛部と、
を備え、
前記周状枠部は、人の指圧力が加わることで変形可能であるが外力が印加されない状態においては前記開口部の一方の開口端及び他方の開口端が接触して前記開口部が閉じた状態にある周状であり、
前記二本の引掛部の一方は、
前記周状枠部の開口部における一方の開口端から延設される一方の引掛基部と、
前記一方の引掛基部に接続されると共に、引掛対象物に引っ掛るよう作用する一方の引掛作用部と、
を備え、
前記二本の引掛部の他方は、
前記一方の引掛基部に隣接し前記周状枠部の開口部における他方の開口端から延設される他方の引掛基部と、
前記他方の引掛基部に接続されると共に、前記引掛対象物に引っ掛るよう作用する他方の引掛作用部と、
を備え、
前記一方の引掛作用部及び前記他方の引掛作用部の先端は、いずれも前記引掛基部の背面側に位置するように形成され、
外力が印加されない状態では、前記一方の引掛基部及び前記他方の引掛基部は、互いに隣接しており、人の指圧力によって、前記一方の引掛基部及び前記他方の引掛基部が引き離されると、前記開口部が開いて、被吊下物品を前記吊下領域に導入するための導通路が前記一方の引掛基部及び前記他方の引掛基部の間に形成される、
吊り下げ具。
【請求項２】
周状枠部は、外力の印加によって変形可能であり、
周状枠部に外力が印加されない状態において、周状枠部の双方の開口端は、接触した状態にある一方、
周状枠部に外力が印加された状態において、前記双方の開口端が引き離され、開口部が形成される、
請求項１に記載の吊り下げ具。
【請求項３】
一方の引掛部は、周状枠部の一方の開口端から延設され、
他方の引掛部は、周状枠部の他方の開口端から延設される、
請求項１又は２に記載の吊り下げ具。
【手続補正２】
【補正対象書類名】明細書
【補正対象項目名】０００７
【補正方法】変更
【補正の内容】
【０００７】
前記課題を解決するための本発明に係る吊り下げ具は、
被吊下物品の吊下領域を備え平坦であって所定位置に開口部を備える周状枠部と、
引掛対象物に引っ掛けられる二本の引掛部と、
を備え、
前記周状枠部は、人の指圧力が加わることで変形可能であるが外力が印加されない状態においては前記開口部の一方の開口端及び他方の開口端が接触して前記開口部が閉じた状態にある周状であり、
前記二本の引掛部の一方は、
前記周状枠部の開口部における一方の開口端から延設される一方の引掛基部と、
前記一方の引掛基部に接続されると共に、引掛対象物に引っ掛るよう作用する一方の引掛作用部と、
を備え、
前記二本の引掛部の他方は、
前記一方の引掛基部に隣接し前記周状枠部の開口部における他方の開口端から延設される他方の引掛基部と、
前記他方の引掛基部に接続されると共に、前記引掛対象物に引っ掛るよう作用する他方の引掛作用部と、
を備え、
前記一方の引掛作用部及び前記他方の引掛作用部の先端は、いずれも前記引掛基部の背面側に位置するように形成され、
外力が印加されない状態では、前記一方の引掛基部及び前記他方の引掛基部は、互いに隣接しており、人の指圧力によって、前記一方の引掛基部及び前記他方の引掛基部が引き離されると、前記開口部が開いて、被吊下物品を前記吊下領域に導入するための導通路が前記一方の引掛基部及び前記他方の引掛基部の間に形成されることを特徴とする。
【手続補正３】
【補正対象書類名】明細書
【補正対象項目名】００２０
【補正方法】変更
【補正の内容】
【００２０】
各々の引掛部２０（２０ａ、２０ｂ）は、引掛基部２１（２１ａ、２１ｂ）と、引掛作用部２２（２２ａ、２２ｂ）とを含む。図１に示されるように、各引掛作用部２２ａ、２２ｂは、引掛基部２１ａ、２１ｂのそれぞれに接続される。ここで、成形性や材料費の観点から、接続される引掛基部２１と引掛作用部２２との組（引掛基部２１ａと引掛作用部２２ａのセット、及び／又は引掛基部２１ｂと引掛作用部２２ｂのセット）は、構造上一体であることが好ましく、更に、一本の線材から形成されることが好ましい。なお、図１に示される実施形態において、引掛作用部２２は、引掛基部２１の先端から延設されているが、引掛作用部２２の延設箇所は、これに限られない。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
被吊下物品の吊下領域を備え平坦であって所定位置に開口部を備える周状枠部と、
引掛対象物に引っ掛けられる二本の引掛部と、
を備え、
前記周状枠部は、人の指圧力が加わることで変形可能であるが外力が印加されない状態においては前記開口部の一方の開口端及び他方の開口端が接触して前記開口部が閉じた状態にある周状であり、
前記二本の引掛部の一方は、
前記周状枠部と略同一平面内に位置するように前記周状枠部の開口部における一方の開口端から延設される一方の引掛基部と、
前記一方の引掛基部に接続されると共に、先端が前記一方の引掛基部の背面側に位置するように形成されて、引掛対象物に引っ掛るよう作用する一方の引掛作用部と、
を備え、
前記二本の引掛部の他方は、
前記一方の引掛基部に隣接すると共に、前記周状枠部と略同一平面内に位置するように前記周状枠部の開口部における他方の開口端から延設される他方の引掛基部と、
前記他方の引掛基部に接続されると共に、先端が前記他方の引掛基部の背面側に位置するように形成されて、前記引掛対象物に引っ掛るよう作用する他方の引掛作用部と、
を備え、
外力が印加されない状態では、前記一方の引掛基部及び前記他方の引掛基部は、互いに隣接しており、前記一方の引掛基部及び前記他方の引掛基部に対して外力が印加されると、双方が印加される外力の方向と同じ方向に移動して引き離されるように変形して、変形後、前記一方の引掛基部及び前記他方の引掛基部の間に形成された隙間が、被吊下物品を前記吊下領域に導入するための導通路となり、その導通路を被吊下物品が直線的に移動するだけで前記吊下領域に導入される、
吊り下げ具。
【請求項２】
周状枠部は、外力の印加によって変形可能であり、
周状枠部に外力が印加されない状態において、周状枠部の双方の開口端は、接触した状態にある一方、
周状枠部に外力が印加された状態において、前記双方の開口端が引き離され、開口部が形成される、
請求項１に記載の吊り下げ具。
【請求項３】
一方の引掛部は、周状枠部の一方の開口端から延設され、
他方の引掛部は、周状枠部の他方の開口端から延設される、
請求項１又は２に記載の吊り下げ具。
【手続補正２】
【補正対象書類名】明細書
【補正対象項目名】０００７
【補正方法】変更
【補正の内容】
【０００７】
前記課題を解決するための本発明に係る吊り下げ具は、
被吊下物品の吊下領域を備え平坦であって所定位置に開口部を備える周状枠部と、
引掛対象物に引っ掛けられる二本の引掛部と、
を備え、
前記周状枠部は、人の指圧力が加わることで変形可能であるが外力が印加されない状態においては前記開口部の一方の開口端及び他方の開口端が接触して前記開口部が閉じた状態にある周状であり、
前記二本の引掛部の一方は、
前記周状枠部と略同一平面内に位置するように前記周状枠部の開口部における一方の開口端から延設される一方の引掛基部と、
前記一方の引掛基部に接続されると共に、先端が前記一方の引掛基部の背面側に位置するように形成されて、引掛対象物に引っ掛るよう作用する一方の引掛作用部と、
を備え、
前記二本の引掛部の他方は、
前記一方の引掛基部に隣接すると共に、前記周状枠部と略同一平面内に位置するように前記周状枠部の開口部における他方の開口端から延設される他方の引掛基部と、
前記他方の引掛基部に接続されると共に、先端が前記他方の引掛基部の背面側に位置するように形成されて、前記引掛対象物に引っ掛るよう作用する他方の引掛作用部と、
を備え、
外力が印加されない状態では、前記一方の引掛基部及び前記他方の引掛基部は、互いに隣接しており、前記一方の引掛基部及び前記他方の引掛基部に対して外力が印加されると、双方が印加される外力の方向と同じ方向に移動して引き離されるように変形して、変形後、前記一方の引掛基部及び前記他方の引掛基部の間に形成された隙間が、被吊下物品を前記吊下領域に導入するための導通路となり、その導通路を被吊下物品が直線的に移動するだけで前記吊下領域に導入されることを特徴とする。